(57)【特許請求の範囲】
【請求項１】
フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材とを備えたことを特徴とするオイルレベラーのリセット機構。
【請求項２】
フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材とを備え、前記リセット操作板が一枚板の金属板で作られていることを特徴とするオイルレベラーのリセット機構。
【請求項３】
フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材とを備え、この支持部材が燃焼機器本体のベース板とオイルレベラーの蓋とで構成されていることを特徴とするオイルレベラーのリセット機構。
【請求項４】
フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材と、リセット操作板に設けられ、前記支持部材に当接してリセット操作板の上動を規制するストッパーとを備え、このストッパーがリセット操作板に装着されたネジにて構成されていることを特徴とするオイルレベラーのリセット機構。
【発明の詳細な説明】
【０００１】
【発明の属する技術分野】
本発明は、フロートに連動する開閉弁によって油流入口となる弁孔を開閉し、この弁孔の開閉により、液体燃料燃焼装置に供給するための略一定量の油を内部に貯溜するオイルレベラーに関し、特に油面が異常上昇したときに作動する安全装置のリセットを行うオイルレベラーのリセット機構に関する。
【０００２】
【従来の技術】
フロートに連動する開閉弁によって弁孔を開閉し、この弁孔の開閉により、液体燃料燃焼装置に供給するための略一定量の油を内部に貯溜するオイルレベラーは、例えば、実公昭５８−３５９０９号公報等にて知られている。この従来構造のオイルレベラーは、弁孔や弁座にゴミが付着したりして、弁孔を閉塞できずに油面が異常上昇すると、フロートを取り付けた金属製のアームを吸着させ、もって、開閉弁にて弁孔を強制的に閉止させる安全装置としての磁石を備えている。
【０００３】
上記した安全装置をリセットする従来のリセット機構１は、図５に示すように、オイルレベラーの蓋２に固着したガイド筒３と、このガイド筒３に上下動自在に貫通保持させたリセット杆４と、ガイド筒３内でリセット杆４の外周に巻回した第１のスプリング５と、リセット杆４の上部に設けたリセットボタン６と、リセットボタン６内でリセット杆４の外周に巻回した第２のスプリング７とから構成されている。ここで、安全装置の動きによってフロート８がロックされ、このフロート８のロック状態を解除する場合、リセットボタン６を押し下げる。すると、リセットボタン６の押し下げ操作に連動して、第１のスプリング５が圧縮され、リセット杆４が下動する。このリセット杆４の下動によってフロート８が押し下げられ、フロート８を取り付けた金属製のアームが磁石から離れて回動し、フロート８のロック状態が解除される。
【０００４】
また、このオイルレベラーを室内に設置する石油温風暖房機等の燃焼機器に搭載する場合、近年では、安全装置のリセット操作を燃焼機器の外部から容易に行えるようにしたものが知られている。
【０００５】
次に、この従来構造を図６に基づき説明する。図中、９は燃焼機器としての石油温風暖房機の外装ケースのベース板、１０はベース板９上に設置したオイルレベラーであり、このオイルレベラー１０の内部構造は実公昭５８−３５９０９号公報に開示されたものと同様である。また、このオイルレベラー１０の蓋２に組み付けられたリセット機構１は、図５に示したものと同様であり、図５と同一符号を付して説明を省略する。１１は前記リセット機構１を外装ケースの外部から操作可能としたリセット操作板であり、このリセット操作板１１の下部の操作部１２は、ベース板９を貫通して外装ケースの正面外部に臨ませてある。また、リセット操作板１１の上端部には、先端側をリセット機構１のリセットボタン６に対向させた作動板１３がネジ１４等にて装着され、この作動板１３とオイルレベラー１０の蓋２との間にはリセット操作板１１を上方向に附勢するコイルスプリング１５を介装している。１６はリセット操作板１１の上部を支持する支持板であり、この支持板１６はオイルレベラー１０の蓋２に装着され、この支持板１６とベース板９とでリセット操作板１１を上下動自在に支持している。
【０００６】
図６に示す従来構造のものでは、フロート８のロック状態を解除する場合、石油温風暖房機の正面外部からリセット操作板１１の操作部１２を押し下げる。すると、操作部１２の押し下げ操作に連動して、リセット操作板１１及び作動板１３が下動し、作動板１３の下動に伴ってコイルスプリング１５が圧縮されて、リセット機構１のリセットボタン６が押し下げられ、フロート８のロック状態が解除される。
【０００７】
【発明が解決しようとする課題】
ところで、上述した従来のオイルレベラーのリセット機構においては、オイルレベラー１０の蓋２に、ガイド筒３、リセット杆４、第１のスプリング５、リセットボタン６、及び第２のスプリング７等からなる多数のリセット機構部品が組み付けられているため、構造が複雑で、しかも、部品点数が多く、オイルレベラーの組立を一層、繁雑なものとしていた。また、リセット操作を石油温風暖房機の外部から容易に行えるようにしたものでも、部品点数の削減が望まれていた。
【０００８】
本発明は上述の実情に鑑みてなされたものであり、リセット操作を燃焼機器の外部から容易に行えるようにしたものにおいて、オイルレベラーの構成を簡略化しつつ、リセット機構全体のシンプル化を図り、部品点数及び組立工数を削減できるようにすることを目的としている。
【０００９】
【課題を解決するための手段】
請求項１に記載の本発明は、フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材とを備えた構成である。
【００１０】
請求項２に記載の本発明は、フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材とを備え、前記リセット操作板が一枚板の金属板で作られている構成である。
【００１１】
請求項３に記載の本発明は、フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材とを備え、この支持部材が燃焼機器本体のベース板とオイルレベラーの蓋とで構成されている。
【００１２】
請求項４に記載の本発明は、フロートの上下動に連動して開閉弁が弁孔を開閉し、この弁孔の開閉によって内部に略一定量の油を貯溜するとともに、油面が異常上昇するとそれ以上油面が上昇するのを防止する安全装置が働き、この安全装置によってフロートがロックされる形式のオイルレベラーのリセット機構であって、下部に操作部を有するとともに、上部に作動部を有し、この作動部の下端は前記オイルレベラー内に臨ませてフロートに対向させた上下動自在なリセット操作板と、このリセット操作板を上方向に附勢するバネと、前記リセット操作板を上下動自在に支持する支持部材と、リセット操作板に設けられ、前記支持部材に当接してリセット操作板の上動を規制するストッパーとを備え、このストッパーがリセット操作板に装着されたネジにて構成されている。
【００１３】
請求項１に記載のオイルレベラーのリセット機構においては、下部に操作部を有するとともに、上部に作動部を有し、この作動部の下端は前記オイルレベラーの蓋を貫通してフロートに対向させた上下動自在なリセット操作板と、このリセット操作板を上方向に附勢するバネと、前記リセット操作板を上下動自在に支持する支持部材とを備えた構成としたことにより、従来、オイルレベラーの蓋に組み付けられていたガイド筒、リセット杆、第１のスプリング、リセットボタン、及び第２のスプリング等からなる多数のリセット機構部品を削除でき、オイルレベラー自体の構成を簡略化できるばかりでなく、リセット操作を正面外部から容易に行えるようにした燃焼機器におけるリセット機構全体のシンプル化が図れ、部品点数及び組立工数の大幅な削減が可能となる。
【００１４】
請求項２に記載のオイルレベラーのリセット機構においては、リセット操作板が一枚板の金属板で作られているので、リセット機構全体の一層のシンプル化が図れ、部品点数及び組立工数をさらに削減できる。
【００１５】
請求項３に記載のオイルレベラーのリセット機構においては、リセット操作板を上下動自在に支持する支持部材が、燃焼機器本体のベース板とオイルレベラーの蓋とで構成されているので、支持部材として格別な部品を用意する必要がなく、部品点数をさらに削減できる。
【００１６】
請求項４に記載のオイルレベラーのリセット機構においては、リセット操作板に設けられたストッパーが、リセット操作板に装着されたネジにて構成されているので、ストッパーとして格別な部品を用意する必要がなく、既製のネジを利用できる。
【００１７】
【発明の実施の形態】
以下、本発明の一実施形態を図１ないし図４に基づいて説明する。図において、２０は燃焼機器としての石油温風暖房機、２１は縦長箱体状に形成された石油温風暖房機の外装ケース（燃焼機器本体）であり、この外装ケース２１は天板２２、ベース板２３、側板２４及び前パネル２５等を有し、前記ベース板２３には複数の設置脚２６が装着され、また、前パネル２５には温風吹出口２７を設けている。２８は置台であり、この置台２８上には前記設置脚２６を介して外装ケース２１を設置している。前記外装ケース２１内には、液体燃料燃焼装置２９と、この液体燃料燃焼装置２９に供給するための略一定量の油を内部に貯溜するオイルレベラー３０と、このオイルレベラー３０に組付けられ、オイルレベラー３０内の油を汲み上げて液体燃料燃焼装置２９に供給する燃料ポンプ３１等が組み込まれている。
【００１８】
前記オイルレベラー３０は、図４に示すように、上部に蓋３２が装着され、かつ、内部に油流入口となる弁孔３３を有するレベラー本体３４を備え、このレベラー本体３４内に、フロート３５と、枢止具３６によって回動自在に枢止され、一端側にフロート３５を取り付けた磁性金属板製のアーム３７と、このアーム３７の他端側に取り付けられ、フロート３５の上下動に連動して弁孔３３を開閉し、油面を略一定レベルに保つ開閉弁３８と、油面の異常上昇時にアーム３７を吸着してフロート３５をロックし、開閉弁３８で弁孔３３を強制的に閉塞する安全装置としての磁石３９等が組み込まれている。そして、このオイルレベラー３０は、前記前パネル２５近傍のベース板２３上に直接、或るいは固定台板を介して設置されている。
【００１９】
次に、磁石３９にアーム３７が吸着された状態のフロート３５のロックを解除するリセット機構Ａについて説明する。このリセット機構Ａは、上下動自在なリセット操作板４０と、このリセット操作板４０を上方向に附勢するコイルスプリング４１と、リセット操作板４０を上下動自在に支持する支持部材としての前記したベース板２３及びオイルレベラー３０の蓋３２とから構成されている。
【００２０】
前記リセット操作板４０は、正面（図３において）から見て逆Ｌ字状を呈し、前方に向けて折り曲げられた操作片部４０Ａを下端部に有するとともに、上端部の先端寄りには下向きの作動片部４０Ｂが垂下形成されており、一枚板の金属板をプレス加工してなるものである。４０Ｃはリセット操作板４０の上端部に沿って折曲形成された補強用折曲部である。そして、このリセット操作板４０は、下端部がベース板２３に穿ったスリット状の開口４２に挿通されるとともに、作動片部４０Ｂがオイルレベラー３０の蓋３２に穿ったスリット状の小孔４３に挿通され、ベース板２３と蓋３２とで上下動自在に支持される。
【００２１】
こうして、リセット操作板４０をベース板２３と蓋３２とで支持すると、前記操作片部４０Ｂは外装ケース２１の正面側外部、即ち、前パネル２５と置台２８との間に臨まされることになり、一方、作動片部４０Ｂの下端はオイルレベラー３０内のフロート３５の直上位置となって、フロート３５と所定の間隔を存して対向する。４４は前記ベース板２３よりも下方位置のリセット操作板４０に装着したネジであり、このネジ４４は、ベース板２３の下面に当接することで、コイルスプリング４１の附勢力によるリセット操作板４０の上動を規制するためのストッパーとなるものである。４５はオイルレベラー３０に接続された給油管である。
【００２２】
次にリセット機構Ａの操作方法及び動作について説明する。リセット機構Ａを操作するには、外装ケース２１の正面側外部に臨ませたリセット操作板４０の操作片部４０Ａを押し下げる。この操作片部４０Ａを押し下げ操作すると、リセット操作板４０がコイルスプリング４１を圧縮させながら下動し、リセット操作板４０の作動片部４０Ｂも下動して、この作動片部４０Ｂの下先端がフロート３５を押し下げ、磁石３９にアーム３７が吸着された状態のフロート３５のロックを解除する。フロート３５のロックを解除した後は、操作片部４０Ａから手を放せば、リセット操作板４０はコイルスプリング４１の附勢力によって元の位置に戻る。
【００２３】
上述の構成によれば、磁石３９にアーム３７が吸着された状態のフロート３５のロックを解除するリセット機構Ａが、下端部に操作片部４０Ａを有するとともに、上端部の先端寄りに下向きの作動片部４０Ｂを有し、この作動片部４０Ｂの下先端はオイルレベラー３０の蓋３２を貫通してフロート３５に対向させた上下動自在なリセット操作板４０と、このリセット操作板４０を上方向に附勢するコイルスプリング４１と、リセット操作板４０を上下動自在に支持する外装ケース２１のベース板２３及びオイルレベラー３０の蓋３２とから構成されているので、従来、オイルレベラーの蓋に組み付けられていたガイド筒、リセット杆、第１のスプリング、リセットボタン、及び第２のスプリング等からなる多数のリセット機構部品を削除でき、オイルレベラー３０自体を簡略化できるばかりでなく、リセット操作を正面外部から容易に行えるようにした石油温風暖房機におけるリセット機構全体のシンプル化が図れ、部品点数及び組立工数の大幅な削減が可能となる。
【００２４】
また、リセット操作板４０は、操作片部４０Ａ、作動片部４０Ｂ、補強用折曲部４０Ｃを含み、一枚板の金属板をプレス加工してなるものであるから、リセット機構Ａの全体を一層シンプル化なものとすることができ、部品点数及び組立工数をさらに削減できる。
【００２５】
また、リセット操作板４０を上下動自在に支持するための支持部材として、外装ケース２１のベース板２３とオイルレベラー３０の蓋３２を利用しているのでリセット操作板４０の支持部材として格別な部品を用意する必要がなく、部品点数をさらに削減できる。
【００２６】
また、リセット操作板４０に設けられたストッパーが、リセット操作板４０に装着されたネジ４４にて構成されているので、ストッパーとして格別な部品を用意する必要がなく、既製のネジを利用できる。
【００２７】
【発明の効果】
本発明は以上のように構成されているので、従来、オイルレベラーの蓋に組み付けられていたガイド筒、リセット杆、スプリング及びリセットボタン等からなる多数のリセット機構部品を削除でき、オイルレベラーの構成を簡略化できるばかりでなく、リセット操作を正面外部から容易に行えるようにした燃焼機器におけるリセット機構全体のシンプル化が図れ、部品点数及び組立工数を大幅に削減できるなど、組立性が良好で、安価で、しかも、利用価値の高いオイルレベラーのリセット機構を提供できる。
【００２８】
請求項２に記載のオイルレベラーのリセット機構においては、リセット操作板が一枚板の金属板で作られているので、リセット機構全体の一層のシンプル化が図れ、部品点数及び組立工数をさらに削減できる。
【００２９】
請求項３に記載のオイルレベラーのリセット機構においては、リセット操作板を上下動自在に支持する支持部材が、燃焼機器本体のベース板とオイルレベラーの蓋とで構成されているので、支持部材として格別な部品を用意する必要がなく、部品点数をさらに削減できる。
【００３０】
請求項４に記載のオイルレベラーのリセット機構においては、リセット操作板に設けられたストッパーが、リセット操作板に装着されたネジにて構成されているので、ストッパーとして格別な部品を用意する必要がなく、既製のネジを利用できる。
【図面の簡単な説明】
【図１】本発明の一実施形態例としてのオイルレベラーのリセット機構を搭載した石油温風暖房機の正面図である。
【図２】同じく前パネルを外した状態の要部斜視図である。
【図３】同じく前パネルを外した状態の要部正面図である。
【図４】同じく前パネルを外した状態の一部切欠の要部正面図である。
【図５】従来のリセット機構を説明する説明図である。
【図６】従来例の別のリセット機構を説明する説明図である。
【符号の説明】
２１      温風暖房機の外装ケース（機器本体）
２３      外装ケースのベース板（支持部材）
３０      オイルレベラー
３２      蓋（支持部材）
３３      弁孔
３５      フロート
３８      開閉弁
３９      磁石（安全装置）
４０      リセット操作板
４０Ａ    操作片部（操作部）
４０Ｂ    作動片部（作動部）
４１      コイルスプリング（バネ）
【図１】
0003667828.tif 000002
【図２】
0003667828.tif 000003
【図３】
0003667828.tif 000004
【図４】
0003667828.tif 000005
【図５】
0003667828.tif 000006
【図６】
0003667828.tif 000007